(57)【要約】【課題】車体構造に関し、給油口及び給水口のシール性を確保しつつ容易に小型化できるようにする。【解決手段】車載のエンジンに供給される燃料を補充するための給油口１を設ける。エンジンの排気を浄化する添加剤を補充するための給水口２を給油口１に隣接して配置する。給油口１が挿入される第一孔９Ａ及び給水口２が挿入される第二孔９Ｂを有する固定部材９を車体に固定する。固定部材９と給油口１との間は第一シール部７で封止し、固定部材９と給水口２との間は第二シール部８で封止する。第一シール部７は固定部材９の表裏いずれか一方に配置し、第二シール部８は固定部材９の表裏いずれか他方に配置する。【選択図】図２
2018144802.tif 000002
【特許請求の範囲】
【請求項１】
車載のエンジンに供給される燃料を補充するための給油口と、
前記給油口に隣接して配置され、前記エンジンの排気を浄化する添加剤を補充するための給水口と、
前記給油口が挿入される第一孔及び前記給水口が挿入される第二孔を有し、車体に固定された固定部材と、
前記固定部材の表裏いずれか一方にて前記給油口との間を封止する第一シール部と、
前記固定部材の表裏いずれか他方にて前記給水口との間を封止する第二シール部と、
を備えることを特徴とする、車体構造。
【請求項２】
前記給油口が、前記第一シール部よりも車両外側に突出した形状の燃料フィラーブーツを有する
ことを特徴とする、請求項１記載の車体構造。
【請求項３】
前記第一シール部が、前記固定部材の裏側に配置され、
前記第二シール部が、前記固定部材の表側に配置される
ことを特徴とする、請求項１または２記載の車体構造。
【請求項４】
前記給水口が、前記第二シール部よりも車両内側に窪んだ形状の添加剤フィラーブーツを有する
ことを特徴とする、請求項１〜３のいずれか１項に記載の車体構造。
【請求項５】
前記給水口の外筒面に形成されたネジ山と螺合するネジ溝を内周面に有し、前記給水口の外側に覆設される添加剤キャップを備える
ことを特徴とする、請求項１〜４のいずれか１項に記載の車体構造。
【請求項６】
前記給油口の端面が、前記給水口の端面よりも車両外側に配置される
ことを特徴とする、請求項１〜５のいずれか１項に記載の車体構造。
【発明の詳細な説明】
【技術分野】
【０００１】
本発明は、燃料の給油口と添加剤の給水口とを備えた車両の車体構造に関する。
【背景技術】
【０００２】
従来、内燃機関を備えた車両においては、排気内の有害成分を還元して浄化すべく、タンク内に貯留された還元剤を排気に噴射する排気浄化システムが使用されている。ディーゼルエンジンにおいては、排気内の窒素酸化物（NOx）を還元すべく還元剤としては尿素やアンモニアが使用されるため、タンクの内部には尿素水溶液やアンモニア水溶液といった添加剤が貯留されている。また、タンクの配設位置は、例えば車両のフロア下に設定することが提案されている（特許文献１参照）。このようなレイアウトにより、車室内のスペースが確保されるとともに、添加剤の漏洩による車室居住性の低下が防止される。
【先行技術文献】
【特許文献】
【０００３】
【特許文献１】特許第4826612号公報
【発明の概要】
【発明が解決しようとする課題】
【０００４】
ところで、引用文献１に記載の車両では添加剤の給水口が車室内の床面に配置されており、添加剤の補充作業は車室内で実施される。しかし、車室内には荷物が積載されていることがあり、良好な作業性が得られないことがある。また、補充作業中における、添加剤のこぼれの可能性を考慮すると、車室外から添加剤の補充作業を実施できるシステムとすることが望ましい。例えば、車両の給油口の近傍に給水口を配置して、給水口とタンクとの間を給水管で接続することが考えられる。
【０００５】
一方、給油口や給水口などの配管材と車体との間には、防水性を確保するためのシール部材が介装される。複数の配管材の防水性を確保するには、シール部材が互いに干渉しないように配管材の位置を設定しなければならず、配管材同士を近接した位置に配置することが難しい。これにより、給油口及び給水口の設置場所のダウンサイジングが困難となる。
【０００６】
本件の目的の一つは、上記のような課題に照らして創案されたものであり、給油口及び給水口のシール性を確保しつつ、これらの設置場所の小型化が容易となる車体構造を提供することである。なお、この目的に限らず、後述する「発明を実施するための形態」に示す各構成から導き出される作用効果であって、従来の技術では得られない作用効果を奏することも、本件の他の目的として位置付けることができる。
【課題を解決するための手段】
【０００７】
ここで開示する車体構造は、
車載のエンジンに供給される燃料を補充するための給油口と、
前記給油口に隣接して配置され、前記エンジンの排気を浄化する添加剤を補充するための給水口と、
前記給油口が挿入される第一孔及び前記給水口が挿入される第二孔を有し、車体に固定された固定部材と、
前記固定部材の表裏いずれか一方にて前記給油口との間を封止する第一シール部と、
前記固定部材の表裏いずれか他方にて前記給水口との間を封止する第二シール部と、
を備えることを特徴とする。
【発明の効果】
【０００８】
第一シール部と第二シール部とを固定部材の表裏のそれぞれに配置することで、シール性を確保しつつ給油口と給水口との距離を近づけることができ、給油口及び給水口まわりの構造，形状をコンパクトにすることができる。
【図面の簡単な説明】
【０００９】
【図１】実施形態の車体構造が適用された車両の斜視図である。
【図２】補充口の水平断面図である。
【図３】固定部材の模式的正面図である。
【発明を実施するための形態】
【００１０】
図面を参照して、実施形態としての車体構造を説明する。なお、以下に示す実施形態はあくまでも例示に過ぎず、以下の実施形態で明示しない種々の変形や技術の適用を排除する意図はない。本実施形態の各構成は、それらの趣旨を逸脱しない範囲で種々変形して実施することができる。また、必要に応じて取捨選択することができ、あるいは適宜組み合わせることができる。
【００１１】
［１．構成］
本実施形態の車体構造は、図１に示す車両１０に適用される。車両１０は、ディーゼルエンジンを備えた自動車であり、排気内のNOxを還元するための尿素SCR（Selective Catalytic Reduction）システムを備えている。車両１０の後方側のフロア下には、燃料タンク（不図示）及び添加剤のタンク１６が車体に対して固定される。タンク１６は、尿素SCRシステムで使用される添加剤（例えば、尿素水溶液，アンモニア水溶液など）を貯留する容器である。また、車両１０の側面には、エンジンに供給される燃料を補充するための給油口１と、エンジンの排気を浄化する添加剤を補充するための給水口２とが隣接して配置される。本実施形態では給油口１及び給水口２の総称として、補充口１３との表現を用いる。
【００１２】
補充口１３は、車両１０の左リヤフェンダーに取り付けられたケーシング９０に内蔵されて、車体に固定される。ケーシング９０は、車両１０の表面側が開放された箱状に形成され、その表面側の開口部がリッド１４によって開閉可能に閉塞される。リッド１４は通常時はロック（施錠）されており、燃料，添加剤の補充作業時にロックを解除されて開放される。給油口１の位置は向かって左側（車両１０の前方側）に設定され、給水口２の位置は向かって右側（車両１０の後方側）に設定される。
【００１３】
給油口１と燃料タンクとの間には、互いを連通する注油管（不図示）が接続される。同様に、給水口２とタンク１６との間には、互いを連通する注水管１５が接続される。注油管は、リヤホイールハウスの内周面に沿って、タイヤの直上方から前方に向かって配索される。一方、注水管１５は、リヤホイールハウスの内周面に沿って、タイヤの直上方から後方に向かって配索される。これらの注油管，注水管１５は、その上端部近傍で互いに固定される。
【００１４】
補充口１３の水平断面を、図２に例示する。給油口１の上流側先端部には、給油時に燃料補充ノズルが挿入される部位となる燃料フィラーネック３が設けられる。同様に、給水口２の上流側先端部には、給水時に添加剤補充ノズルが挿入される部位となる添加剤フィラーネック４が設けられる。これらのフィラーネック３，４は筒状に形成される。燃料フィラーネック３の端面３Ａ（給油口１の端面）は、添加剤フィラーネック４の端面４Ａ（給水口２の端面）よりも車両１０の外側に飛び出すように配置される。また、添加剤フィラーネック４の内径は、燃料フィラーネック３の内径よりも小径に形成される。本実施形態では、燃料補充ノズルの誤挿入を防止するために、燃料補充ノズルの外径よりも小径の中空筒状に形成されたインレットアダプタが添加剤フィラーネック４の内側に固定されるものとする。
【００１５】
給油口１及び給水口２のそれぞれは、ケーシング９０の側壁部分に相当する固定部材９に対して、弾性材料（樹脂やゴム等）のフィラーブーツ５，６を介して弾性的に支持されるとともに、固定部材９を貫通した姿勢で固定される。図３に示されるように、固定部材９には、給油口１が挿入される第一孔９Ａ及び給水口２が挿入される第二孔９Ｂが形成されている。なお、固定部材９は、例えば板形状に形成されている。燃料フィラーネック３は第一孔９Ａに挿入されて、その上端側には、燃料フィラーブーツ５が装着される。燃料フィラーブーツ５の形状は、底面が開放された略円錐台形状に準えることができる。燃料フィラーネック３は、燃料フィラーブーツ５における円錐台の底面側から頂面を貫通するように配設される。
【００１６】
また、燃料フィラーブーツ５のうち、円錐台の錐面と底面との交差部分に相当する部位には第一シール部７が設けられ、この第一シール部７が固定部材９の裏側（車両１０の内側）に係止されることによって、燃料フィラーブーツ５が固定部材９に対して固定されると共に両者の間が封止される。これにより、燃料フィラーブーツ５と固定部材９との間の防水性が確保される。第一シール部７を基準にして観察すれば、燃料フィラーブーツ５の形状は、第一シール部７よりも外側に突出した形状であるといえる。
【００１７】
添加剤フィラーネック４は固定部材９の第二孔９Ｂに挿入されて、その上端側には、添加剤フィラーブーツ６が装着される。添加剤フィラーブーツ６の形状も、燃料フィラーブーツ５と同様に、底面が開放された略円錐台形状に準えることができる。しかし、添加剤フィラーブーツ６は、固定部材９に対して燃料フィラーブーツ５とは逆向きの姿勢で取り付けられる。燃料フィラーブーツ５がその頂面側を車両１０の外側に向けた姿勢で取り付けられるのに対し、添加剤フィラーブーツ６はその底面側を外側に向けた姿勢で取り付けられる。
【００１８】
添加剤フィラーブーツ６のうち、円錐台の錐面と底面との交差部分に相当する部位には第二シール部８が設けられ、この第二シール部８が固定部材９の表側（車両１０の外側）に係止されることによって、添加剤フィラーブーツ６が固定部材９に対して固定されると共に両者の間が封止される。これにより、添加剤フィラーブーツ６と固定部材９との間の防水性が確保される。第二シール部８を基準にして観察すれば、添加剤フィラーブーツ６の形状は、第二シール部８よりも内側に窪んだ形状であるといえる。なお、添加剤フィラーブーツ６の内側に水たまりが生じないように、水抜き穴を形成してもよい。
【００１９】
燃料フィラーネック３の先端には、燃料キャップ１１が取り付けられる。燃料キャップ１１は、筒状の燃料フィラーネック３における先端部の内筒面に形成されたネジ山と螺合するネジ溝をその外周面に有する（つまり、雄ネジが形成されている）。したがって、燃料キャップ１１は、燃料フィラーネック３の内側に挿入された状態で取り付けられる。これに対し、添加剤フィラーネック４の先端には、添加剤キャップ１２が取り付けられる。添加剤キャップ１２は、添加剤フィラーネック４における先端部の外筒面に形成されたネジ山と螺合するネジ溝をその内周面に有する（つまり、雌ネジが形成されている）。したがって、添加剤キャップ１２は、添加剤フィラーネック４の先端に外側から覆い被さった状態で取り付けられる。そのため、添加剤フィラーブーツ６の窪みのサイズは、添加剤キャップ１２の取付け状態でのサイズを考慮して決定される。
【００２０】
［２．作用，効果］
［１］上記の車体構造では、第一シール部７と第二シール部８とが固定部材９の表裏のそれぞれに配置される。したがって、図２中の破線円Ａ内に示すように、固定部材９における第一孔９Ａと第二孔９Ｂとの間の中間部９Ｃにおいて、第一シール部７及び第二シール部８の各々の少なくとも一部を、中間部９Ｃを介して互いに向かい合わせて配置することができる。換言すれば、第一シール部７及び第二シール部８の各々の少なくとも一部を、中間部９Ｃを挟んでオーバーラップさせて配置することができる。したがって、第一シール部７及び第二シール部８のシール性を確保しつつ、燃料フィラーネック３と添加剤フィラーネック４とを可能な限り接近させることが容易となる。これにより、給油口１と給水口２との距離を近づけることができるため、補充口１３の設置場所を小型化することができる。
【００２１】
［２］給油口１の周囲には、第一シール部７よりも車両１０の外側に突出した形状の燃料フィラーブーツ５が取り付けられる。燃料フィラーネック３は、この燃料フィラーブーツ５を介してケーシング９０の固定部材９（ひいては車体）に取り付けられる。このように、補充頻度の高い燃料の給油口１の燃料フィラーブーツ５を第一シール部７よりも外側に突出させることで、燃料の補充作業性を高めることができる。また、第一シール部７から給油口１の端面３Ａまでの距離が長くなることから、給油作業中に燃料が第一シール部７に飛散するような事態を防止することができ、第一シール部７のシール性，保護性を高めることができる。さらに、燃料フィラーブーツ５が外部に突出した形状であることから、燃料フィラーブーツ５の内側に燃料の吹きこぼれが滞留することも防止でき、給油作業の安全性を高めることができる。
【００２２】
［３］上記の車体構造では、第一シール部７が車両１０の外側から見て固定部材９の裏側に配置される。これにより、給油口１の艤装作業時には、固定部材９の裏側から燃料フィラーブーツ５を押し出す（あるいは、固定部材９の手前側へと燃料フィラーブーツ５を引き出す）ことで、容易に給油口１を固定部材９に取り付けることができ、シール性及び組み付け作業性を向上させることができる。また、仮に給油作業中に燃料が吹きこぼれたとしても、燃料が第一シール部７に浸入することを防ぐことができるため、第一シール部７のシール性，保護性を高めることができる。
【００２３】
［４］給水口２の周囲には、第二シール部８よりも車両１０の内側に窪んだ形状の添加剤フィラーブーツ６が取り付けられる。添加剤フィラーネック４は、この添加剤フィラーブーツ６を介してケーシング９０の固定部材９（ひいては車体）に取り付けられる。このように、補充頻度の低い添加剤の給水口２の添加剤フィラーブーツ６を第二シール部８よりも車両１０の内側に窪ませることで、燃料の補充作業時における作業スペース（燃料補充ノズルの周囲の余裕寸法）を大きくすることができるため、より頻度の高い燃料の補充作業性を高めることができる。また、第二シール部８から給水口２の端面４Ａまでの距離をとりやすくなり、給水作業中に添加剤が第二シール部８に飛散するような事態を防止でき、第二シール部８の保護性を高めることができる。
【００２４】
なお、給水口２の内側には燃料給油ノズルの誤挿入を防止するためのインレットアダプタが内蔵されることから、一般的な添加剤キャップ１２は、給水口２の外側を被覆する雌ねじタイプとされる。そのため、給水口２の端面は給油口１の端面よりも車両１０の外側に飛び出した形状に形成されることが多く、給水口２が給油作業の障害となりうる。ただし、本実施形態によれば、第二シール部８よりも内側に窪んだ添加剤フィラーブーツ６を設けることで、給水口２の端面４Ａを給油口１の端面３Ａよりも内側に配置しやすくすることができ、燃料の補充作業性を高めることができる。
【００２５】
［５］上記の車体構造では、第二シール部８が車両１０の外側から見て固定部材９の表側に配置される。そのため、給水口２の艤装作業時には、固定部材９の表側から添加剤フィラーブーツ６を奥へと押し込む（あるいは、固定部材９の裏側に手を回して添加剤フィラーブーツ６を引き込む）ことで、容易に給水口２を固定部材９に取り付けることができるため、組み付け作業性を向上させることができる。
【００２６】
［６］上記の車体構造では、車両１０の内側に窪んだ形状の添加剤フィラーブーツ６が取り付けられ、その窪みの内側に収まるように、添加剤キャップ１２が給水口２に取り付けられる。このように、添加剤フィラーブーツ６を窪んだ形状にすることで、添加剤キャップ１２を給水口２の外側に覆設することができる。したがって、給水口２の内側にインレットアダプタを形成させることができるため、燃料の誤補充をより確実に防止することができる。また、給油口１に比べて補充頻度が低い給水口２の外側に添加剤キャップ１２を覆設することで、仮に給油作業中に燃料が飛散したとしても、燃料が給水口２内に浸入することを防ぐことができる。
【００２７】
［７］上記の車体構造では、給油口１の端面３Ａが給水口２の端面４Ａよりも車両１０の外側に配置されている。このように、補充頻度の高い燃料の給油口１を作業者から見て手前側に配置することで、給油作業中に燃料給油ノズルと給水口２との干渉を発生しにくくすることができ、燃料の補充作業性を高めることができる。
【００２８】
［３．変形例］
上述の実施形態では、シール部７，８が、固定部材９とフィラーブーツ５，６との間を封止する構造を例示した。しかし、フィラーブーツ５，６をフィラーネック３，４と一体に形成した場合には、シール部７，８が、固定部材９とフィラーネック３，４との間を封止する構成としてもよい。すなわち、第一シール部７は給油口１と車体との間を封止する機能を持つものであればよく、第二シール部８は給水口２と車体との間を封止する機能を持つものであればよい。何れにしても、上述の実施形態と同様の効果を奏するものとなる。
【００２９】
上述の実施形態では、第一シール部７を固定部材９の裏側に配置し、第二シール部８を固定部材９の表側に配置した構造を例示したが、これらの配置関係は逆転させることができる。すなわち、第一シール部７を固定部材９の表側に配置し、第二シール部８を固定部材９の裏側に配置してもよい。この場合であっても両シール部７，８を固定部材９の中間部９Ｃを介して向かい合わせて配置させることができるため、上述の実施形態の効果の一部を同様に奏する構造を提供することができる。ただし、上述の実施形態のように、燃料フィラーブーツ５を第一シール部７よりも外側に突出した形状とする場合には、上述の実施形態通りに、第一シール部７を固定部材９の裏側に配置し、第二シール部８を固定部材９の表側に配置するのが望ましい。
【００３０】
上述の実施形態では、尿素SCRシステムのタンク１６について詳述したが、タンク１６に貯留される添加剤の種類は尿素水に限定されない。NOx選択還元触媒を利用した排気浄化システムにおいては、尿素の代わりにアンモニアを還元剤として使用することがある。したがって、アンモニア水溶液を貯留する添加剤容器として、上記のタンク１６を用いることができる。また、DPF（ディーゼル・パティキュレート・フィルター）を利用した排気浄化システムにおいては、PM（パティキュレート・マター）の燃焼を促進するために、排気管内に炭化水素（HC，未燃燃料）を噴射することがある。この場合、燃料を貯留する添加剤容器として、上記のタンク１６を用いることもできる。
【符号の説明】
【００３１】
１  給油口
２  給水口
５  燃料フィラーブーツ
６  添加剤フィラーブーツ
７  第一シール部
８  第二シール部
９  固定部材
１２  添加剤キャップ
９０  ケーシング
【図１】
2018144802.tif 000003
【図２】
2018144802.tif 000004
【図３】
2018144802.tif 000005